(57)【要約】【課題】金属薄膜抵抗体を備えた半導体装置の製造方法において、金属薄膜抵抗体の上面への酸素プラズマの照射を防止しつつ、金属薄膜抵抗体と金属配線パターンの電気的接続を確実に形成する。【解決手段】下地絶縁膜５上に配線パターン１１を形成し、下地絶縁膜５上に絶縁膜１９を形成し、絶縁膜１９に、金属薄膜抵抗体の両端部の形成予定領域及び配線パターン１１に対応して接続孔２１を形成し、接続孔２１内を含み絶縁膜１９上に金属薄膜３７を形成し、さらにその上に保護膜４３を形成し、２１接続孔の形成領域にも金属薄膜３７及び保護膜４３を残存させるように、保護膜４３上にレジストパターン３９を形成し、異方性エッチング技術によりレジストパターン３９をマスクにして保護膜４３及び金属薄膜３７をパターニングして保護膜パターン４１及び金属薄膜抵抗体２３からなる積層パターンを形成し、その後、レジストパターン３９を除去する。【選択図】図２
2006190806.tif 000002
【特許請求の範囲】
【請求項１】
絶縁膜上に金属薄膜抵抗体を備えた半導体装置の製造方法において、以下の工程（Ａ）から（Ｆ）を含むことを特徴とする半導体装置の製造方法。
（Ａ）下地絶縁膜上に、金属薄膜抵抗体の両端部の形成予定領域に対応して配線パターンを形成する工程、
（Ｂ）前記配線パターン上を含む前記下地絶縁膜上に絶縁膜を形成する工程、
（Ｃ）前記絶縁膜に、金属薄膜抵抗体の両端部の形成予定領域及び前記配線パターンに対応して接続孔を形成する工程、
（Ｄ）前記接続孔内を含み前記絶縁膜上に金属薄膜を形成し、さらにその上に保護膜を形成する工程、
（Ｅ）前記接続孔の形成領域にも前記金属薄膜及び前記保護膜を残存させるように、前記保護膜上にレジストパターンを形成し、異方性エッチング技術により前記レジストパターンをマスクにして前記保護膜及び前記金属薄膜をパターニングして保護膜パターン及び金属薄膜抵抗体からなる積層パターンを形成する工程、
（Ｆ）前記レジストパターンを除去する工程。
【請求項２】
前記工程（Ｄ）において、前記保護膜は金属窒化膜である請求項１に記載の製造方法。
【請求項３】
前記金属窒化膜を形成する際のスパッタガス中の窒素分圧が１８〜９０％である請求項２に記載の製造方法。
【請求項４】
前記工程（Ｄ）において、前記金属薄膜を無酸素雰囲気中で形成した後、連続して無酸素雰囲気中で前記金属薄膜上に前記金属窒化膜を形成する請求項２又は３に記載の製造方法。
【請求項５】
前記金属薄膜を５〜１０００Åの膜厚に形成する請求項１から４のいずれかに記載の製造方法。
【請求項６】
前記工程（Ａ）において、前記配線パターンとして、金属材料パターンと前記金属材料パターンの少なくとも上面に形成された高融点金属膜からなるものを形成する請求項１から５のいずれかに記載の製造方法。
【請求項７】
前記工程（Ａ）において、前記配線パターンとして、ポリシリコンパターンと前記ポリシリコンパターンの少なくとも上面に形成された高融点金属膜からなるものを形成する請求項１から５のいずれかに記載の製造方法。
【発明の詳細な説明】
【技術分野】
【０００１】
本発明は、半導体装置の製造方法に関し、特に、絶縁膜上に形成された金属薄膜からなる金属薄膜抵抗体を備えた半導体装置の製造方法に関するものである。
金属薄膜抵抗体を備えた半導体装置は、例えばマイコン、カメラ、ビデオ機器、通信機、ページャ、電卓、電子手帳、リモコン、携帯機器全般等に使用される。
【背景技術】
【０００２】
アナログ集積回路において、抵抗素子は重要な素子として多用されている。近年、抵抗素子の中でも金属薄膜からなる抵抗体（金属薄膜抵抗体と称す）がその抵抗値の温度依存性（以下ＴＣＲという）の低さから注目を集めている。金属薄膜抵抗体の材料としては、例えばクロムシリコン（ＣｒＳｉ）やニッケルクロム（ＮｉＣｒ）、窒化タンタル（ＴａＮ）、クロムシリサイド（ＣｒＳｉ2）、窒化クロムシリサイド（ＣｒＳｉＮ）、クロムシリコンオキシ（ＣｒＳｉ０）などが用いられる。
金属薄膜抵抗体を備えた半導体装置において、高集積化の要求を満たすために、より高いシート抵抗を目指し、１０００Å（オングストローム）以下という薄い膜厚で金属薄膜抵抗体を形成することが多い。
【０００３】
一般に、金属薄膜抵抗体を形成する際、絶縁膜上に金属薄膜抵抗体用の金属薄膜を形成し、さらにその上にレジストパターンを形成し、レジストパターンをマスクにして異方性エッチング処理によって上記金属薄膜をパターニングして金属薄膜抵抗体を形成する。その後、レジストパターンは酸素プラズマアッシング処理によって除去されるが、酸素プラズマによって金属薄膜抵抗体の抵抗値が変動するという問題があった。
【０００４】
このような不具合を防止するために、金属薄膜抵抗体用の金属薄膜の上面に絶縁性の保護膜を形成する方法がある（例えば特許文献１を参照。）。レジストパターンを用いて上記保護膜及び上記金属薄膜を異方性エッチングによりパターニングして金属薄膜抵抗体と保護膜パターンからなる積層パターンを形成した後、レジストパターンを酸素プラズマアッシング処理によって除去する際、保護膜パターンにより金属薄膜抵抗体の上面に酸素プラズマが照射されるのを防止することができる。
【０００５】
特許文献１に記載された方法では、金属薄膜抵抗体と保護膜パターンからなる積層パターンを形成した後、金属薄膜抵抗体に金属配線を接続するために金属薄膜抵抗体の両端部に対応する保護膜パターンを異方性エッチングにより除去する。このとき、マスクとしてレジストパターンを用いると保護膜パターンの所定の領域を選択的に除去した後にレジストパターンを除去する際に、保護膜パターンが除去された部分に対応する金属薄膜抵抗体の部分が酸素プラズマに晒されるので、エッチングマスクとしてシリコン酸化膜パターンを用いている。
【０００６】
【特許文献１】特開２００２−１２４６３９号公報
【発明の開示】
【発明が解決しようとする課題】
【０００７】
しかし、特許文献１に記載された方法では、金属薄膜抵抗体に金属配線を接続するために金属薄膜抵抗体の両端部に対応する保護膜を異方性エッチングにより除去するためのエッチングマスクとしてシリコン酸化膜パターンを形成する必要があり、工程が複雑になり、製造コストの上昇を招くという問題があった。
また、金属薄膜抵抗体の両端部に対応する保護膜を異方性エッチングにより除去する際、オーバーエッチングにより金属薄膜抵抗体もエッチング除去される虞れがあった。
【０００８】
本発明は、金属薄膜抵抗体を備えた半導体装置の製造方法において、金属薄膜抵抗体の上面への酸素プラズマの照射を防止しつつ、金属薄膜抵抗体と金属配線パターンの電気的接続を確実に形成することができる半導体装置の製造方法を提供することを目的とするものである。
【課題を解決するための手段】
【０００９】
本発明にかかる半導体装置の製造方法は、絶縁膜上に金属薄膜抵抗体を備えた半導体装置の製造方法において、以下の工程（Ａ）から（Ｆ）を含む。
下地絶縁膜上に、金属薄膜抵抗体の両端部の形成予定領域に対応して配線パターンを形成する工程（Ａ）、上記配線パターン上を含む上記下地絶縁膜上に絶縁膜を形成する工程（Ｂ）、上記絶縁膜に、金属薄膜抵抗体の両端部の形成予定領域及び上記配線パターンに対応して接続孔を形成する工程（Ｃ）、上記接続孔内を含み上記絶縁膜上に金属薄膜を形成し、さらにその上に保護膜を形成する工程（Ｄ）、上記接続孔の形成領域にも上記金属薄膜及び上記保護膜を残存させるように、上記保護膜上にレジストパターンを形成し、異方性エッチング技術により上記レジストパターンをマスクにして上記保護膜及び上記金属薄膜をパターニングして保護膜パターン及び金属薄膜抵抗体からなる積層パターンを形成する工程（Ｅ）、上記レジストパターンを除去する工程（Ｆ）。
【００１０】
上記工程（Ｄ）において、上記保護膜は金属窒化膜である例を挙げることができる。ただし、本発明において、上記保護膜は金属窒化膜に限定されるものではなく、金属薄膜抵抗体の抵抗値に対して影響を与えない程度に十分大きい抵抗値をもつ絶縁膜であってもよい。
その金属窒化膜を形成する際のスパッタガス中の窒素分圧は１８〜９０％が適当である。
上記工程（Ｄ）において、上記金属薄膜を無酸素雰囲気中で形成した後、連続して無酸素雰囲気中で上記金属薄膜上に上記金属窒化膜を形成することが好ましい。
【００１１】
金属薄膜抵抗体用に形成する金属薄膜の膜厚は、５〜１０００Å、好ましくは２０〜５００Åとするのが適当である。
【００１２】
金属薄膜抵抗体と金属配線が直接接触している構造では、３００〜４００℃程度の比較的低温の熱処理により接触抵抗が大きく変動してしまうので、金属薄膜抵抗体と金属配線の間にＴｉＷ等のバリヤ膜を形成することが好ましい。
そこで、上記工程（Ａ）において、金属薄膜抵抗体と接する上記配線パターンとして、金属材料パターン及びその少なくとも上面に形成された高融点金属膜からなるものを形成するか、又はポリシリコンパターン及びその少なくとも上面に形成された高融点金属膜からなるものを形成することが好ましい。
【００１３】
配線パターンの上面に形成する高融点金属膜は、例えば５００〜３０００Åの膜厚に形成するのが適当である。
【発明の効果】
【００１４】
本発明では、配線パターン及び接続孔を形成した後（工程（Ａ）から（Ｃ））、金属薄膜抵抗体を形成して接続孔内で金属薄膜抵抗体と配線パターンの電気的接続を形成するので（工程（Ｄ）及び（Ｅ））、金属薄膜抵抗体を形成した後に異方性エッチング処理を行なう必要がなく、金属薄膜抵抗体と配線パターンの電気的接続を確実に形成することができる。
さらに、金属薄膜抵抗体の上面で配線パターンとの電気的接続を形成する従来の方法に比べると、金属薄膜抵抗体の配線パターンとの接触面が大気に暴露されることはなく、金属薄膜抵抗体と配線パターンの良好な電気的接続を安定して得ることができるので、上記のような膜厚の金属薄膜抵抗体をもつ半導体装置及びその製造方法に適用しても、工程数を増加させることなく、金属薄膜抵抗体の微細化及び抵抗値の安定化を実現することができる。
さらに、金属薄膜抵抗体用の金属薄膜上に保護膜を形成し（工程（Ｄ））、異方性エッチング技術により保護膜パターン及び金属薄膜抵抗体からなる積層パターンを形成しているので（工程（Ｅ））、上記レジストパターンを除去する工程（Ｆ）において、保護膜パターンにより金属薄膜抵抗体の上面への酸素プラズマの照射を防止することができる。
【００１５】
工程（Ｄ）において、金属薄膜を無酸素雰囲気中で形成した後、連続して無酸素雰囲気中で金属薄膜上に保護膜としての金属窒化膜を形成し、工程（Ｅ）において、金属窒化膜及び金属薄膜をパターニングして保護膜パターン及び金属薄膜抵抗体からなる積層パターンを形成するようにすれば、金属薄膜抵抗体の上面の酸化をなくすことができ、金属薄膜抵抗体の抵抗値の安定化及び精度の向上を図ることができる。
【００１６】
配線パターンとして金属材料パターン及びその少なくとも上面に形成された高融点金属膜からなるものを形成するか、又はポリシリコンパターン及びその少なくとも上面に形成された高融点金属膜からなるものを形成するようにすれば、製造工程を追加しなくても、金属薄膜抵抗体と金属配線又はポリシリコン配線の間に高融点金属膜を介在させることができるので、金属薄膜抵抗体と配線パターンの接触抵抗のバラツキを低減することができ、抵抗値の精度及び歩留りの向上を図ることができる。
【００１７】
さらに、配線パターンが金属材料パターンと高融点金属膜により形成されている場合には、金属材料パターンの上面に形成される反射防止膜としての高融点金属を金属材料パターンと金属薄膜抵抗体とのバリヤ膜として兼用するようにし、又は、配線パターンがポリシリコンパターンと高融点金属膜により形成されている場合には、ポリシリコンパターンの低抵抗素子化を目的として形成される高融点金属膜をポリシリコンパターンと金属薄膜抵抗体とのバリヤ膜として兼用するようにすれば、製造工程が増加することはないので、製造コストの増大を防止しつつ、金属薄膜抵抗体と配線パターンの接触抵抗を安定させることができる。
【発明を実施するための最良の形態】
【００１８】
図１及び図２は製造方法の一実施例を説明するための工程断面図である。図１及び図２では、同一基板上にトランジスタ素子や容量素子などが形成されているが、それらの素子の図示は省略している。まず、図２（ｋ）を参照してこの方法により製造される半導体装置の例を説明する。
【００１９】
シリコン基板１上に素子分離酸化膜３が形成されている。素子分離酸化膜３の形成領域を含むシリコン基板１上にＢＰＳＧ膜又はＰＳＧ（phospho silicate glass）膜からなる第１層間絶縁膜（下地絶縁膜）５が形成されている。第１層間絶縁膜５上に、金属材料パターン７と金属材料パターン７表面に形成された高融点金属膜９からなる配線パターン１１が形成されている。金属材料パターン７は例えばＡｌＳｉＣｕ膜により形成されている。高融点金属膜９は例えばＴｉＮ膜により形成されており、反射防止膜兼バリヤ膜として機能するものである。
【００２０】
配線パターン１１の形成領域を含む第１層間絶縁膜５上に、下層側から順にプラズマＣＶＤ酸化膜１３、ＳＯＧ（spin on glass）膜１５、プラズマＣＶＤ酸化膜１７からなる第２層間絶縁膜（絶縁膜）１９が形成されている。第２層間絶縁膜１９に、金属薄膜抵抗体の両端部及び配線パターン１１に対応して接続孔２１が形成されている。
【００２１】
第２層間絶縁膜１９上に、接続孔２１，２１間の領域から接続孔２１の内壁及び配線パターン１１上にわたってＣｒＳｉ薄膜抵抗体（金属薄膜抵抗体）２３が形成されている。ＣｒＳｉ薄膜抵抗体２３の両端部は接続孔２１内で配線パターン１１と電気的に接続されている。ＣｒＳｉ薄膜抵抗体２３の上面にＣｒＳｉＮ膜（金属窒化膜からなる保護膜パターン））４１が形成されている。ＣｒＳｉ薄膜抵抗体２３とＣｒＳｉＮ膜４１の間にはＣｒＳｉＯは形成されていない。
ＣｒＳｉ薄膜抵抗体２３及びＣｒＳｉＮ膜４１の形成領域を含む第２層間絶縁膜１９上に、下層側がシリコン酸化膜２５、上層側がシリコン窒化膜２７からなる、最終保護膜としてのパッシベーション膜２９が形成されている。
【００２２】
図１及び図２を参照して、製造方法の一実施例を説明する。
（１）例えば常圧ＣＶＤ装置を用いて、素子分離酸化膜３及びトランジスタ素子等（図示は省略）の形成が完了したウェハ状のシリコン基板１上に、ＢＰＳＧ膜又はＰＳＧ膜からなる第１層間絶縁膜５を約８０００Åの膜厚に形成する。その後、リフロー等の熱処理を行なって第１層間絶縁膜５の表面を平坦化する（図１（ａ）参照）。
【００２３】
（２）例えばＤＣマグネトロンスパッタリング装置を用いて、第１層間絶縁膜５上に、ＡｌＳｉＣｕ膜からなる配線用金属膜３１を約５０００Åの膜厚に形成し、さらにその上に、公知の技術である反射防止膜としての高融点金属膜３３、ここではＴｉＮ膜を約８００Åの膜厚に、真空中で連続的に形成する（図１（ｂ）参照）。ここで、高融点金属膜３３は、最終的には後工程で配線用金属膜３１から形成される金属材料パターンと、金属薄膜抵抗体との接触抵抗を安定させるためのバリヤ膜としても機能するため、配線用金属膜３１と高融点金属膜３３を真空中で連続して形成することが好ましい。
【００２４】
（３）公知の写真製版技術及びエッチング技術により、高融点金属膜３３及び配線用金属膜３１をパターンニングして、金属配線パターン７及び高融点金属膜９からなる配線パターン１１を形成する（図１（ｃ）参照）。この時、配線用金属膜３１上に、反射防止膜として機能する高融点金属膜３３が形成されているので、配線パターン１１の形成領域を画定するためのレジストパターンの太りや細りなどを最小限に抑えることができる。
【００２５】
また、この段階では、従来技術のようには金属薄膜抵抗体は形成されておらず、配線パターン１１の下地膜は第１層間絶縁膜５により形成されているので、高融点金属膜３３及び配線用金属膜３１のパターンニングをドライエッチング技術により十分なオーバーエッチングをもって行なうことが可能であり、従来技術の問題点となっていたウェットエッチング技術によるパターニングを適用する必要性は全く無く、回路の微細化に影響を与えることはない。
【００２６】
（４）例えばプラズマＣＶＤ法により、配線パターン１１の形成領域を含む第１層間絶縁膜５上にプラズマＣＶＤ酸化膜１３を６０００Å程度の膜厚に形成する（図１（ｄ）参照）。
（５）公知の技術であるＳＯＧのコーティング処理及びエッチバック処理を行なうことにより、プラズマＣＶＤ酸化膜１３上にＳＯＧ膜１５を形成して平坦化を行なった後、ＳＯＧ膜１５からの成分の拡散を防止するためのプラズマＣＶＤ酸化膜１７を２０００Å程度の膜厚に形成して、プラズマＣＶＤ酸化膜１３、ＳＯＧ膜１５及びプラズマＣＶＤ酸化膜１７からなる第２層間絶縁膜１９を形成する（図１（ｅ）参照）。
【００２７】
（６）公知の写真製版技術により、金属薄膜抵抗体の両端部の形成予定領域及び配線パターン１１に対応して第２層間絶縁膜１９に接続孔を形成するためのレジストパターン３５を形成する。レジストパターン３５には、金属薄膜抵抗体の両端部の形成予定領域及び配線パターン１１に対応して開口部３６が形成されている（図１（ｆ）参照）。
【００２８】
（７）例えば並行平板型プラズマエッチング装置により、ＲＦパワー：７００Ｗ（ワット）、Ａｒ：５００ｓｃｃｍ（standard cc／分）、ＣＨＦ3：５００ｓｃｃｍ、ＣＦ4：５００ｓｃｃｍ、圧力：３.５Ｔｏｒｒ（トル）の条件で、レジストパターン３５をマスクにして第２層間絶縁膜１９を選択的に除去して、第２層間絶縁膜１９に接続孔２１を形成する。接続孔２１の底部には、反射防止膜兼バリヤ膜としての高融点金属膜９が約６００Åの膜厚で残存している。
その後、レジストパターン３５を除去する（図２（ｇ）参照）。
【００２９】
ここで、接続孔２１の形成後に、接続孔２１の側壁等に付着しているエッチング時の副生成物除去工程を行なってもよい。また、接続孔２１内部での金属薄膜抵抗体のステップカバレージを改善する目的で、エッチング条件の変更によるテーパーエッチングや、ウェットエッチング技術とドライエッチング技術を組み合わせたエッチング処理等により、接続孔２１の形状の改善を行なってもよい。
【００３０】
また、上記工程（７）において、プラズマエッチング条件を最適化することにより、第２層間絶縁膜１９のエッチングレートに対する高融点金属膜９のエッチングレートをさらに低く抑えることは十分可能であり、接続孔２１の底部に残る高融点金属膜９の膜厚をこの実施例よりも大きくすることもできる。さらに、高融点金属膜９の形成時点での膜厚を低く抑えつつ、接続孔２１形成後の高融点金属膜９の残存膜厚を確保するもできる。このように、接続孔２１を形成する上記工程（７）を金属薄膜抵抗体が形成されていない段階で行なうので、金属薄膜抵抗体の薄さに起因した制約を一切受けること無く接続孔２１の加工が可能であり、ドライエッチング技術の適用による微細化の追求が十分に可能である。
【００３１】
（８）例えばマルチチャンバースパッタリング装置のＡｒスパッタエッチングチャンバーにて、真空中で、ＤＣバイアス：１２５０Ｖ、Ａｒ：２０ｓｃｃｍ、圧力：８.５ｍＴｏｒｒ（ミリトル）、処理時間：２０秒の条件で、接続孔２１内を含む第２層間絶縁膜１９の表面に対してＡｒスパッタエッチング処理を行なう。このエッチング条件は、１０００℃、ウェット雰囲気で形成した熱酸化膜を約５０Åだけエッチングする条件と同等である。この処理を行なった後の接続孔２１底部に残存する高融点金属膜９の膜厚は５００Å程度であった。
【００３２】
続けて、Ａｒスパッタエッチング完了後に真空を破らずに連続して金属薄膜抵抗体用のＣｒＳｉ薄膜（金属薄膜）３７を形成する。ここでは、半導体ウェハをＡｒスパッタエッチングチャンバーからＣｒＳｉターゲットが装着されたスパッタチャンバーに移送した後、Ｓｉ／Ｃｒ＝８０／２０ｗｔ％（重量パーセント）のＣｒＳｉターゲットを使用し、ＤＣパワー：０.７ＫＷ（キロワット）、Ａｒ：８５ｓｃｃｍ、圧力：８.５ｍＴｏｒｒ、処理時間：９秒の条件で処理を行ない、接続孔２１内を含む第２層間絶縁膜１９上全面にＣｒＳｉ薄膜３７を約５０Åの膜厚に形成した。
【００３３】
さらに、ＣｒＳｉ薄膜３７形成後、真空を破らずに連続して、ＣｒＳｉ薄膜３７上にＣｒＳｉＮ膜（金属窒化膜（保護膜））４３を形成する。
ここでは、ＣｒＳｉ薄膜３７の形成で用いたＳｉ／Ｃｒ＝８０／２０ｗｔ％のＣｒＳｉターゲットを使用し、ＤＣパワー：０.７ＫＷ（キロワット）、Ａｒ＋Ｎ2（アルゴンと窒素の混合ガス）：８５ｓｃｃｍ、圧力：８.５ｍＴｏｒｒ、処理時間：６秒の条件で処理を行ない、ＣｒＳｉ薄膜３７上にＣｒＳｉＮ膜４３を約５０Åの膜厚に形成した（図２（ｈ）参照）。
【００３４】
このように、金属薄膜抵抗体用のＣｒＳｉ薄膜３７を形成する前に、接続孔２１内を含む第２層間絶縁膜１９に対してＡｒスパッタエッチング処理を行なうことにより、接続孔２１の内部を清浄すると共に、接続孔２１底部の高融点金属膜９表面に形成されている極少量の自然酸化膜を除去することができる。これにより、配線パターン１１とＣｒＳｉ薄膜３７との良好な電気的接続を達成することができる。
さらに、上記Ａｒスパッタエッチング処理を行なうことにより、後工程でＣｒＳｉ薄膜３７から形成されるＣｒＳｉ薄膜抵抗体の下地膜依存性を改善できる。この効果については後述する。
【００３５】
（９）写真製版技術により、ＣｒＳｉ薄膜３７上に金属薄膜抵抗体の形成領域を画定するためのレジストパターン３９を形成する。例えばＲＩＥ（反応性イオンエッチング）装置を用い、レジストパターン３９をマスクにしてＣｒＳｉＮ膜４３及びＣｒＳｉ薄膜３７をパターニングして、ＣｒＳｉＮ膜４１及びＣｒＳｉ薄膜抵抗体２３からなる積層パターンを形成する（図２（ｉ）参照）。
【００３６】
（１０）酸素プラズマアッシング処理によりレジストパターン３９を除去する（図２（ｊ）参照）。ここで、ＣｒＳｉ薄膜抵抗体２３上にＣｒＳｉＮ膜４１が形成されているので、ＣｒＳｉ薄膜抵抗体２３の上面への酸素プラズマの照射を防止することができる。
さらに、ＣｒＳｉ薄膜抵抗体２３は接続孔２１内で配線パターン１１と電気的に接続されているので、従来技術のようには金属薄膜抵抗体上面で電気的接続をとるためにフッ酸水溶液によるＣｒＳｉ薄膜抵抗体２３の表面の金属酸化膜除去処理を行なう必要はない。
【００３７】
（１１）例えばプラズマＣＶＤ法により、ＣｒＳｉ薄膜抵抗体２３の形成領域を含む第２層間絶縁膜１９上に、パッシベーション膜２９としてのシリコン酸化膜２５及びシリコン窒化膜２７を順次形成する。以上により、半導体装置の製造工程が完了する（図２（ｋ）参照）。
【００３８】
上記実施例によれば、配線パターン１１及び接続孔２１を形成した後、ＣｒＳｉ薄膜抵抗体２３を形成して接続孔２１内でＣｒＳｉ薄膜抵抗体２３と配線パターン１１の電気的接続を形成するので、金属薄膜抵抗体を形成した後に異方性エッチング処理を行なう必要がなく、金属薄膜抵抗体と配線パターンの電気的接続を確実に形成することができる。また、ＣｒＳｉ薄膜抵抗体２３をパターニングした後にウェットエッチング技術によるパターニングを行なう必要はない。
【００３９】
一般に、金属薄膜は酸素との反応性が高く、金属薄膜を大気に晒した状態で長時間放置すると抵抗値が変動してしまうことが知られている。
この実施例では、ＣｒＳｉ薄膜抵抗体２３の上面にＣｒＳｉＮ膜４１を形成することにより、ＣｒＳｉ薄膜抵抗体２３の上面が大気に晒されてＣｒＳｉ薄膜抵抗体２３の抵抗値が変動するのを防止している。ここで、ＣｒＳｉ薄膜抵抗体２３を形成するためのＣｒＳｉ薄膜３７が成膜された段階で、ＣｒＳｉ薄膜３７と配線パターン１１との電気的接続は完了しているため、ＣｒＳｉ薄膜３７上に新たな薄膜が成膜されても、特性上何ら影響を与えるものではない。
【００４０】
さらに、ＣｒＳｉ薄膜抵抗体２３の配線パターン１１との接触面が大気に暴露されることはないので、ＣｒＳｉ薄膜抵抗体２３に対する表面酸化膜除去処理を行なわなくても、ＣｒＳｉ薄膜抵抗体２３と配線パターン１１の良好な電気的接続を安定して得ることができる。
これにより、ＣｒＳｉ薄膜抵抗体２３の膜厚に関わらず、工程数を増加させることなく、ＣｒＳｉ薄膜抵抗体２３の微細化及び抵抗値の安定化を実現することができる。
【００４１】
さらに、ＣｒＳｉ薄膜抵抗体２３と金属材料パターン７の間にバリヤ膜として機能する高融点金属膜９を介在させているので、ＣｒＳｉ薄膜抵抗体２３と配線パターン１１の接触抵抗のバラツキを低減することができ、抵抗値の精度及び歩留りの向上を図ることができる。
【００４２】
さらに、高融点金属膜９はバリヤ膜兼反射防止膜としても機能しており、従来技術に比べて製造工程を増加させることなく高融点金属膜９を形成することができるので、製造コストの増大を防止しつつ、金属薄膜抵抗体と配線パターンの接触抵抗を安定させることができる。
【００４３】
図３及び図４を参照して、上記実施例と同様の構成で形成した金属薄膜抵抗体の特性について調べた結果を示す。図３は、金属薄膜抵抗体のシート抵抗と膜厚との関係を示し、縦軸はシート抵抗（Ω／□）、横軸はＣｒＳｉ膜厚（Å）を示す。図４は、金属薄膜抵抗体のシート抵抗のウェハ面内の６３箇所での測定結果の標準偏差（σ）を平均値（ＡＶＥ）で割った値（σ／ＡＶＥ）とＣｒＳｉ膜厚との関係を示し、縦軸はσ／ＡＶＥ（％）、横軸はＣｒＳｉ膜厚（Å）を示す。
【００４４】
金属薄膜抵抗体の形成条件は次の通りである。
マルチチャンバースパッタリング装置を用いて、ＤＣパワー：０.７ＫＷ、Ａｒ：８５ｓｃｃｍ、圧力：８.５ｍＴｏｒｒ、ターゲット：Ｓｉ／Ｃｒ＝５０／５０ｗｔ％及び８０／２０ｗｔ％の２種について、体積時間を調整することにより、ＣｒＳｉ薄膜を２５〜５００Åの膜厚にサンプルを作成した。なお、Ｓｉ／Ｃｒ＝５０／５０ｗｔ％のサンプルについては膜厚が５００Åのものは作成していない。
【００４５】
また、ＣｒＳｉ薄膜形成前のＡｒスパッタエッチング処理は、上記マルチチャンバースパッタリング装置を用いて、ＤＣバイアス：１２５０Ｖ、Ａｒ：２０ｓｃｃｍ、圧力：８.５ｍＴｏｒｒ、処理時間：１６０秒の条件で行なった。これは、１０００℃、ウェット雰囲気で形成した熱酸化膜を４００Åだけエッチング除去するのに相当する処理である。
また、本サンプルでは、金属薄膜抵抗体に接続する下層の金属配線として、膜厚が５０００ÅのＡｌＳｉＣｕ膜を用い、ＡｌＳｉＣｕ膜とＣｒＳｉ薄膜間の接続孔底部にはＡｌＳｉＣｕ膜上のＴｉＮ膜が形成されていない構造を採用した。
【００４６】
シート抵抗の測定は、幅が０.５μｍ（マイクロメートル）、長さが５０μｍの帯状パターンを０.５μｍ間隔で２０本配置したうちの１本の金属薄膜抵抗体の両端に１Ｖの電圧を印加して電流値を測定する２端子法にて行なった。
また、金属配線とＣｒＳｉ薄膜抵抗体とをつなぐ接続孔の平面寸法は０.６μｍ×０.６μｍであった。
【００４７】
図３に示すように、ターゲット（Ｓｉ／Ｃｒ＝５０／５０ｗｔ％とＳｉ／Ｃｒ＝８０／２０ｗｔ％）の組成に関わらず、２００Å以上の膜厚から２５Åという極めて薄い膜厚まで、膜厚とシート抵抗の線形性が維持されており、従来技術では形成できないような微細な寸法の金属薄膜抵抗体を薄い膜厚に形成できることが分かる。
【００４８】
また、ウェハ面内６３箇所におけるシート抵抗のバラツキを示す図４を見ても、ターゲット（Ｓｉ／Ｃｒ＝５０／５０ｗｔ％とＳｉ／Ｃｒ＝８０／２０ｗｔ％）の両方とも、抵抗値のバラツキは膜厚の影響をほとんど受けておらず、抵抗値のバラツキも非常に小さく安定していることが分かる。このことから、本発明の構造を採用すれば、極めて微細な金属薄膜抵抗体パターンを金属薄膜抵抗体の膜厚に関係なく安定して形成できる。
【００４９】
図５は、金属薄膜抵抗体用の金属薄膜を形成する前にＡｒスパッタエッチング処理を行なった場合及び行なわなかった場合のＣｒＳｉ薄膜抵抗体のシート抵抗と金属薄膜抵抗体の下地膜を形成してから経過した時間との関係を示す図であり、（Ａ）は行なった場合、（Ｂ）は行なわなかった場合を示す。図５において、縦軸はシート抵抗（Ω／□）、横軸は下地膜形成後経過時間（時間）を示す。
【００５０】
図５のサンプルとして、下地膜としてプラズマＣＶＤ法によって２０００Åの膜厚に形成したプラズマＳｉＮ膜とプラズマＮＳＧ（non-doped silicate glass）膜の２つのシリコンウェハを準備し、これらのシリコンウェハに形成したＣｒＳｉ薄膜抵抗体を用い、ＣｒＳｉ薄膜抵抗体のシート抵抗を４端子法によって測定した。
【００５１】
下地膜のプラズマＳｉＮ膜は、並行平板型プラズマＣＶＤ装置を用いて、温度：３６０℃、圧力：５.５Ｔｏｒｒ、ＲＦパワー：２００Ｗ、ＳｉＨ4：７０ｓｃｃｍ、Ｎ2：３５００ｓｃｃｍ、ＮＨ3：４０ｓｃｃｍの条件で形成した。
プラズマＮＳＧ膜は、並行平板型プラズマＣＶＤ装置を用いて、温度：４００℃、圧力：３.０Ｔｏｒｒ、ＲＦパワー：２５０Ｗ、ＳｉＨ4：１６ｓｃｃｍ、Ｎ2Ｏ：１０００ｓｃｃｍの条件で形成した。
【００５２】
ＣｒＳｉ薄膜抵抗体は、マルチチャンバースパッタリング装置を用いて、Ｓｉ／Ｃｒ＝８０／２０ｗｔ％のターゲット、ＤＣパワー：０.７ＫＷ、Ａｒ：８５ｓｃｃｍ、圧力：８.５ｍＴｏｒｒ、体積時間：１３秒の条件で処理を行なうことで、１００Åの膜厚に形成した。
【００５３】
Ａｒスパッタエッチング処理を行なったサンプルには、上記マルチチャンバースパッタリング装置を用いて、ＤＣバイアス：１２５０Ｖ、Ａｒ：２０ｓｃｃｍ、圧力：８.５ｍＴｏｒｒ、処理時間：８０秒の条件で行なった。これは、１０００℃、ウェット雰囲気で形成した熱酸化膜を２００Åだけエッチング除去するのに相当する処理である。
【００５４】
（Ｂ）に示すように、ＣｒＳｉ薄膜の形成前にＡｒスパッタエッチング処理を行なっていない場合、下地膜の違い（ＳｉＮ膜上とＮＳＧ膜上）によりシート抵抗が大きく異なっているのが分かる。さらに、下地膜を形成してからＣｒＳｉ薄膜抵抗体を形成するまでに経過した時間の影響を大きく受けているのが分かる。
これに対し、（Ａ）に示すように、Ａｒスパッタエッチング処理を行なった場合、下地膜の種類及び経過時間ともに、ＣｒＳｉ薄膜抵抗体のシート抵抗にほとんど影響を与えていないのが分かる。
【００５５】
このことから、Ａｒスパッタエッチング処理を行なった後、真空中で連続して金属薄膜抵抗体用の金属薄膜を形成することにより、前工程からの経過時間や製品毎に異なる下地膜の違い等によって発生する抵抗値のバラツキを大幅に改善できることが分かる。
【００５６】
図６は、Ａｒスパッタエッチングの量とシート抵抗の関係を示す図である。縦軸はシート抵抗（Ω／□）、横軸はエッチング量（熱酸化膜エッチング量換算）（Å）を示す。図６のサンプルについて、下地膜及びＣｒＳｉ薄膜抵抗体は図５のサンプル形成と同じ条件で形成したプラズマＮＳＧ膜及びＣｒＳｉ薄膜抵抗体を用いた。なお、成膜から１週間経過したプラズマＮＳＧ膜に対してＡｒスパッタエッチングを行なった後、そのプラズマＮＳＧ膜上にＣｒＳｉ薄膜抵抗体を形成した。Ａｒスパッタエッチングの条件は、エッチング量以外は図５のサンプルと同じ条件で行なった。そして、ウェット雰囲気で形成した熱酸化膜エッチング量換算で０Å（Ａｒスパッタエッチング無し）、２５Å、５０Å、１００Å、２００Å、４００Å、１０００Åとなるように調整した。ＣｒＳｉ薄膜抵抗体のシート抵抗を４端子法によって測定した。
【００５７】
図６の結果から、Ａｒスパッタエッチングは、ウェット雰囲気で形成した熱酸化膜エッチング量換算で２５Å以上の膜厚分だけ行なえば、ＣｒＳｉ薄膜抵抗体の抵抗値安定化の効果が得られることが分かった。なお、図６ではＡｒスパッタエッチング条件について熱酸化膜エッチング量換算で１０００Åの膜厚分だけエッチングしたものまでしかサンプルを製作していないが、熱酸化膜エッチング量換算で１０００Åよりも大きい膜厚分だけエッチングした場合であっても、金属薄膜抵抗体の形成領域に下地膜が残存しているのであれば、上記Ａｒスパッタエッチングの効果が得られるものと予想できる。
【００５８】
さらに、Ａｒスパッタエッチング処理の効果は下地の影響のみならず、ＣｒＳｉ薄膜の抵抗値そのものの安定性にも影響を与えることが分かった。
図７は、ＣｒＳｉ薄膜を形成した後に、温度２５℃、湿度４５％の大気中に放置した時間と、形成直後のシート抵抗（Ｒ０）からのシート抵抗の変化率（ΔＲ／Ｒ０）の関係を示す図であり、縦軸はΔＲ／Ｒ０（％）、横軸は放置時間（時間）を示す。
【００５９】
図７のサンプルについて、下地膜及びＣｒＳｉ薄膜抵抗体は図５のサンプル形成と同じ条件で形成したプラズマＮＳＧ膜及びＣｒＳｉ薄膜抵抗体を用いた。
Ａｒスパッタエッチングについては、処理を行なわないもの（Ａｒエッチ無）、処理時間４０秒で熱酸化膜換算：１００Åのもの（Ａｒエッチ：１００Å）、処理時間８０秒で熱酸化膜換算：２００Åのもの（Ａｒエッチ：２００Å）の３種を準備した。
【００６０】
Ａｒスパッタエッチング処理を行なっていないサンプル（Ａｒエッチ無）では、形成後から時間が経過すると共に抵抗値が上昇し、３００時間以上放置した場合、３％以上も抵抗値が変動しているのが分かる。
これに対し、Ａｒスパッタエッチング処理を行なったサンプル（Ａｒエッチ：１００Å、及びＡｒエッチ：２００Å）では、抵抗値の変化率は大幅に減少し、３００時間以上放置しても、形成直後のシート抵抗±１％から外れることはなかった。
さらに、Ａｒエッチ：１００ÅとＡｒエッチ：２００Åを比較すると、Ａｒスパッタエッチング量の大小の影響は小さく、わずかなエッチング量で効果があることが判明した。
【００６１】
以上、図３から図７を参照して、下地膜のシート抵抗への影響や大気放置時間の影響に対する本発明の効果を説明したが、これらの効果は、サンプルとして使用した、ターゲットがＳｉ／Ｃｒ＝５０／５０ｗｔ％又は８０／２０ｗｔ％のＣｒＳｉ薄膜抵抗に限定されるものではない。なお、Ｓｉ／Ｃｒ＝５０／５０〜９０／１０ｗｔ％のターゲットで形成したＣｒＳｉ薄膜及びＣｒＳｉＮ膜の全てで上記と同様の効果が観察されている。
また、Ａｒスパッタエッチング方法も今回使用したＤＣバイアススパッタエッチング法に限定されるものではない。
【００６２】
図８は、接続孔形成時に接続孔底部に高融点金属膜を残存させたサンプルと完全に除去したサンプルについて熱処理に起因する金属薄膜抵抗と金属配線の接触抵抗の変動を調べた結果を示す図である。縦軸は熱処理前の接触抵抗値で規格化した値を示し、横軸は熱処理回数を示す。
【００６３】
図８のサンプルとして、接続孔形成時のドライエッチング時間を調整することで、接続孔底部の高融点金属膜を５００Å程度残存させたサンプルと、完全に除去したサンプルを作成した。
高融点金属膜にはＴｉＮ膜を用いた。
ＣｒＳｉ薄膜抵抗体は、Ｓｉ／Ｃｒ＝８０／２０ｗｔ％、ＤＣパワー：０.７ＫＷ、Ａｒ：８５ｓｃｃｍ、圧力：８.５ｍＴｏｒｒ、体積時間：６秒の条件で５０Åの膜厚に形成した。
ＣｒＳｉ薄膜形成前のＡｒスパッタエッチング処理は、ＤＣバイアス：１２５０Ｖ、Ａｒ：２０ｓｃｃｍ、圧力：８.５ｍＴｏｒｒ、処理時間：１６０秒の条件で行なった。これは、１０００℃、ウェット雰囲気で形成した熱酸化膜を４００Åだけエッチング除去するのに相当する処理である。
接続孔の平面寸法は０.６μｍ×０.６μｍであった。接触抵抗測定方法は４端子法を用いた。
【００６４】
上記のサンプルについて、３５０℃、窒素雰囲気中で３０分の熱処理を追加することで、接触抵抗がどのように変化するかを調べた。
ＴｉＮ膜を接続孔底部に有するサンプル（ＴｉＮ有）は、熱処理を２回追加してもほとんど熱処理前の接触抵抗から変化していない。これに対し、ＴｉＮ膜を完全に除去したサンプル（ＴｉＮ無）は、２回の熱処理追加によって接触抵抗が熱処理前に比べて２０％以上変動している。このことは、ＴｉＮ膜がＣｒＳｉ薄膜と金属配線の相互作用による抵抗変動を防止するバリヤ膜としての機能を有することを意味している。
【００６５】
ＣｒＳｉ薄膜抵抗体と金属配線の間にＴｉＮ膜を存在させることにより、例えばシンタリングやＣＶＤなど、製造工程で行なわれる熱処理による接触抵抗の変動を極めて小さくできると共に、後工程である組立て作業で行なわれる半田処理などの熱処理での接触抵抗の変動を防止できる。これにより、設定通りの接触抵抗を安定して得ることができると共に、組立て前後の接触抵抗の変動を防止することができ、製品の高精度化や歩留の向上が可能となる。
【００６６】
図９に、ＣｒＳｉＮ膜形成用のガスのＮ2分圧とＣｒＳｉＮ膜の抵抗率の関係を示す図であり、縦軸は抵抗率ρ（mohm・cm（ミリオーム・センチメートル））、横軸はＮ2分圧（％）を示す。ここでは、ターゲット：Ｓｉ／Ｃｒ＝５０／５０ｗｔ％、ＤＣパワー：０.７ＫＷ、Ａｒ＋Ｎ2：８５ｓｃｃｍ、圧力：８.５ｍＴｏｒｒ、処理時間：６秒の条件でＡｒ＋Ｎ2ガスのＮ2分圧を調整してＣｒＳｉＮ膜を形成した。
【００６７】
Ｎ2分圧を１８％以上添加してリアクティブスパッタにより形成されたＣｒＳｉＮ膜は、Ｎ2を全く添加しないガスを用いた場合（Ｎ2分圧が０％）に比べて１０倍以上の高い抵抗率を示す。したがって、Ｎ2分圧を１８％以上に設定してＣｒＳｉＮ膜を成膜するようにすれば、ＣｒＳｉ薄膜抵抗体上に直接ＣｒＳｉＮ膜を形成しても、ＣｒＳｉ薄膜抵抗体全体の抵抗値はＣｒＳｉ薄膜が決定することとなり、ＣｒＳｉＮ膜は抵抗値にほとんど影響を与えない。ここで、Ｎ2分圧の上限は９０％程度である。Ｎ2分圧を９０％よりも大きく設定した場合、スパッタリング速度の大幅な低下を招き、生産効率が低下するので好ましくない。
なお、ＣｒＳｉＮ膜は、Ｎ2分圧を例えば６〜１１％程度添加してリアクティブスパッタにより形成するようにすれば、ＣｒＳｉＮ膜自体を金属薄膜抵抗体として使用することも可能である。
【００６８】
また、上記の実施例では、ＣｒＳｉ薄膜抵抗体２３上にＣｒＳｉＮ膜４１を形成しているが、ＣｒＳｉ薄膜抵抗体２３上にＣＶＤ系の絶縁膜、例えばシリコン窒化膜等を形成してもよい。しかし、一般的なマルチチャンバースパッタ装置にはＣＶＤチャンバーは接続されておらず、ＣＶＤ系の絶縁膜を真空中で連続してＣｒＳｉ薄膜抵抗体２３上に形成するためには、対応する新しい設備を購入する必要があり、製造コストに多大な影響を与えてしまう。
【００６９】
上記実施例のように、ＣｒＳｉ薄膜抵抗体２３用のＣｒＳｉ薄膜３７上にＣｒＳｉＮ膜４３を形成する構成であれば、新しい装置を購入すること無く、既存のマルチチャンバースパッタ装置を用いてＣｒＳｉ薄膜抵抗体２３の耐酸化カバー膜となるＣｒＳｉＮ膜４３を、真空を破ること無く形成することができる。
【００７０】
図１及び図２を参照して説明した製造方法の実施例では、上記工程（２）において、配線用金属膜３１と高融点金属膜３３を真空中で連続して形成しているが、本発明はこれに限定されるものではない。
例えば、配線用金属膜３１を形成し、一旦大気に暴露した後、高融点金属膜３３を形成した場合には、配線用金属膜３１表面に形成される自然酸化膜の影響で、配線用金属膜３１と高融点金属膜３３との間で電気的導通を確保することが困難になる。
【００７１】
このような場合、配線用金属膜３１及び高融点金属膜３３をパターニングして形成した金属材料パターン７及び高融点金属膜９からなる配線パターン１１上の第２層間絶縁膜１９に接続孔２１を形成する段階で、接続孔２１底部の高融点金属膜９を全部除去することによって、配線パターン１１とＣｒＳｉ薄膜抵抗体２３間の電気的接続を得ることができる。
【００７２】
また、上記工程（２）において、反射防止膜兼バリヤ膜として機能する高融点金属膜３３を８００Åの膜厚に形成しているが、本発明はこれに限定されるものではない。
一般に、反射防止膜としての高融点金属膜は５００Å以下の膜厚に形成されるが、本発明の半導体装置の製造方法において、接続孔２１の底部にバリヤ膜としての高融点金属膜９を残存させたい場合には、接続孔２１形成時のオーバーエッチング（上記工程（７）参照）や、金属薄膜形成時のＡｒスパッタエッチング処理（上記工程（８）参照）において、高融点金属膜９の膜ベリが若干生じてしまうため、バリヤ膜としての機能を安定的に得るために、５００Å以上の膜厚に形成することが好ましい。
【００７３】
ただし、上述したように、接続孔２１形成用のエッチング条件やＡｒスパッタエッチング条件を最適化することにより、高融点金属膜９の膜厚が５００Å以下でも高融点金属膜９の膜ベリを最小限に抑えてバリヤ膜としての機能を発揮させることは可能である。
【００７４】
また、上記工程（８）において、ＣｒＳｉ薄膜３７の形成直前にＡｒスパッタエッチング処理を行なっているが、バリヤ膜としての高融点金属膜９が接続孔２１底部に残存している場合には、ＴｉＮ膜からなる高融点金属膜９は大気に晒されてもＡｌＳｉＣｕ膜ほど強固な自然酸化膜を形成しないため、上記Ａｒスパッタエッチング処理を行なわなくてもＣｒＳｉ薄膜３７と配線パターン１１の電気的接続を得ることができる。ただし、上述したように、ＣｒＳｉ薄膜３７の形成直前にＡｒスパッタエッチング処理を行なうことによりＣｒＳｉ薄膜抵抗体２３の抵抗値の安定性を改善することができるので、Ａｒスパッタエッチング処理を行なうことが好ましい。
【００７５】
また、上記の実施例では、第２層間絶縁膜１９として、ＳＯＧ膜１５の形成及びエッチバック技術を用いて平坦化したものを用いているが、金属薄膜抵抗体の下地となる絶縁膜はこれに限定されるものではない。金属薄膜抵抗体の下地となる絶縁膜としては、例えば公知の技術であるＣＭＰ（chemical mechanical polish）技術を用いて平坦化を行なった絶縁膜や、平坦化を行なっていないプラズマＣＶＤ酸化膜など、他の絶縁膜であってもよい。ただし、アナログ抵抗素子の中には、ＴＣＲのみならず、ペア性や比精度も重要となるような構成で使用されている場合も多いので、特に、本発明の半導体装置を構成する金属薄膜抵抗体をアナログ抵抗素子に適用する場合には、金属薄膜抵抗体の下地となる絶縁膜は平坦化処理が施されていることが好ましい。
【００７６】
図１０は、金属薄膜抵抗体の下地となる絶縁膜として、上記で説明した実施例とは異なる構造をもつものを用いた実施例を説明するための断面図である。図１０では、同一基板上にトランジスタ素子や容量素子などが形成されているが、それらの素子の図示は省略している。図１及び図２と同じ機能を果たす部分には同じ符号を付し、それらの部分の詳細な説明は省略する。
【００７７】
シリコン基板１上に素子分離酸化膜３、第１層間絶縁膜５、金属材料パターン７及び高融点金属膜９からなる配線パターン１１が形成されている。
配線パターン１１の形成領域を含む第１層間絶縁膜５上に、ＳＯＧ膜からなる第２層間絶縁膜４４が形成されている。第２層間絶縁膜１９に、金属薄膜抵抗体の両端部及び配線パターン１１に対応して接続孔２１が形成されている。
第２層間絶縁膜４４上に、接続孔２１，２１間の領域から接続孔２１の内壁及び配線パターン１１上にわたってＣｒＳｉ薄膜抵抗体２３及びＣｒＳｉＮ膜４１が形成されている。ＣｒＳｉ薄膜抵抗体２３の形成領域を含む第２層間絶縁膜４４上にシリコン酸化膜２５及びシリコン窒化膜２７からなるパッシベーション膜２９が形成されている。
【００７８】
第２層間絶縁膜４４の形成方法について説明すると、ＳＯＧを例えば４０００Åの膜厚に塗布した後、熱処理を施すことにより第２層間絶縁膜４４の形成を行なう。これにより、ＳＯＧ膜からなる第２層間絶縁膜４４表面の段差を軽減することができる。
その他の工程は、図１及び図２を参照して説明した実施例と同じである。
【００７９】
図１１は、金属薄膜抵抗体の下地となる絶縁膜として、上記で説明した実施例とはさらに異なる構造をもつものを用いた実施例を説明するための断面図である。図１１では、同一基板上にトランジスタ素子や容量素子などが形成されているが、それらの素子の図示は省略している。図１及び図２と同じ機能を果たす部分には同じ符号を付し、それらの部分の詳細な説明は省略する。
【００８０】
この半導体装置の構造例が図２（ｊ）を参照して説明した構造例及び図１０を参照して説明した構造例と異なる点は、第２層間絶縁膜４６がＣＭＰ法により平坦化されている点である。第２層間絶縁膜４６の材料は例えばプラズマＣＶＤ酸化膜である。これにより、ＣｒＳｉ薄膜抵抗体２３の下地膜である第２層間絶縁膜４６の平坦性をさらに向上させることができる。
第２層間絶縁膜４６の形成方法を説明すると、プラズマＣＶＤ酸化膜を約１００００Åの膜厚に形成し、ＣＭＰ法により約４０００Åの膜厚まで研磨して平坦化する。
その他の工程は、図１及び図２を参照して説明した実施例と同じである。
【００８１】
また、ＣｒＳｉ薄膜抵抗体の下地となる絶縁膜として、ＨＤＰ（high-density-plasma）−ＣＶＤ法により形成されたＣＶＤ絶縁膜を用いてもよい。例えば約８０００Åの膜厚に形成したＨＤＰ−ＣＶＤ膜を約４０００Åの膜厚にエッチバックすることにより、良好な平坦性をもつ絶縁膜を形成することができる。
【００８２】
また、上記の実施例では、ＣｒＳｉ薄膜抵抗体２３の上にパッシベーション膜２９を形成しているが、本発明はこれに限定されるものではなく、例えば第２層目の金属配線を形成するための層間絶縁膜など、ＣｒＳｉ薄膜抵抗体２３上の膜は、いかなる絶縁膜であってもよい。
【００８３】
上記の実施例では、高融点金属膜９，３３としてＴｉＮ膜を用いた例を挙げているが、配線パターンを構成する高融点金属膜はこれに限定されるものではなく、例えばＴｉＷやＷＳｉなど、他の高融点金属膜を用いてもよい。
【００８４】
また、上記の実施例では、金属配線として一層の配線パターン１１を備えた半導体装置に本発明を適用しているが、本発明はこれに限定されるものではなく、多層金属配線構造の半導体装置に本発明を適用することもできる。その場合、金属薄膜抵抗体の電気的接続を得るための、金属薄膜抵抗体の下層の金属配線は何層目の金属配線であってもよい。多層金属配線構造の半導体装置に本発明を適用する場合、金属薄膜抵抗体の下層の配線パターン（金属配線）、すなわち金属薄膜抵抗体と電気的に接続される配線パターンが最上層の配線パターンであるようにすれば、例えば金属薄膜抵抗体のレイアウト変更を金属薄膜抵抗体及び最上層の配線パターンのレイアウト変更により実現できるなど、設計の自由度を向上させることができる。また、最上層の配線パターン上に形成された絶縁膜上に金属薄膜抵抗体を配置することにより、金属薄膜抵抗体の上層には絶縁性材料からなる最終保護膜が形成され、金属薄膜抵抗体の上層に最終保護膜以外の絶縁膜も形成されている場合に比べて金属薄膜抵抗体上の絶縁性材料の膜厚を薄くして膜厚ばらつきを小さくすることができる。これにより、金属薄膜抵抗体にレーザーを照射してトリミング処理を施す際に、金属薄膜抵抗体上の絶縁性材料でのレーザーの干渉のばらつきを小さくして金属薄膜抵抗体に与えられるレーザーエネルギーのばらつきを小さくすることができ、トリミングの正確性を向上させることができる。さらに、トリミング処理時のレーザー照射に起因する金属薄膜抵抗体の温度上昇などに対して放熱能力を向上させることができる。
【００８５】
また、上記の実施例では、配線パターン１１として、金属材料パターン７の上面に高融点金属膜９が形成されたものを用いているが、本発明はこれに限定されるものではなく、配線パターンとして上面に高融点金属膜が形成されていない金属材料パターンからなるものを用いてもよい。この場合、金属材料パターンとして例えばＡｌ系合金を用いた場合には、金属材料パターン表面に強固な自然酸化膜が形成されるので、接続孔形成後で金属薄膜抵抗体用の金属薄膜を形成する前に、接続孔底部の金属材料パターン表面の自然酸化膜を除去する工程を行なうことが好ましい。その自然酸化膜除去工程は、金属薄膜抵抗体の抵抗値の経時的変化抑制を目的とした上記Ａｒスパッタエッチング処理を兼ねて行なってもよい。また、配線パターンはＡｌ系合金を含むものに限定されるものではなく、いわゆるダマシン法により形成されたＣｕ配線など、他の金属材料からなる配線パターンであってもよい。
【００８６】
また、上記の実施例では、ＣｒＳｉ薄膜抵抗体２３の電位をとるための配線パターン１１として金属材料パターン７及び高融点金属膜９からなるものを用いているが、金属材料パターン７に替えてポリシリコンパターンを用いることもできる。
【００８７】
図１２は、製造方法のさらに他の実施例を説明するための工程断面図である。図１２（ｄ）は半導体装置のさらに他の実施例を示している。図１２では、同一基板上にトランジスタ素子や容量素子などが形成されているが、それらの素子の図示は省略している。図１及び図２と同じ機能を果たす部分には同じ符号を付し、それらの部分の詳細な説明は省略する。まず、図１２（ｄ）を参照して半導体装置の例を説明する。
【００８８】
シリコン基板１上に素子分離酸化膜３が形成されている。シリコン基板１上に形成された酸化膜（図示は省略）上及び素子分離酸化膜３上に、ポリシリコンパターン４５と、ポリシリコンパターン４５上に形成された高融点金属膜４７からなる配線パターン４９が形成されている。高融点金属膜４７は例えばＷＳｉ又はＴｉＳｉにより形成されている。
【００８９】
配線パターン４９及び素子分離酸化膜３の形成領域を含むシリコン基板１上に第１層間絶縁膜５が形成されている。第１層間絶縁膜５に、金属薄膜抵抗体の両端部及び配線パターン４９に対応して接続孔２１が形成されている。
【００９０】
第１層間絶縁膜５上に、接続孔２１，２１間の領域から接続孔２１の内壁及び配線パターン４９上にわたってＣｒＳｉ薄膜抵抗体２３が形成されている。
図示は省略するが、ＣｒＳｉ薄膜抵抗体２３の形成領域を含む第１層間絶縁膜５上に、層間絶縁膜、金属配線及びパッシベーション膜が形成されている。
【００９１】
図１２を参照して、製造方法の実施例を説明する。
（１）シリコン基板１上に素子分離酸化膜３を形成し、素子分離酸化膜３以外のシリコン基板１表面にトランジスタのゲート酸化膜などの酸化膜（図示は省略）を形成した後、シリコン基板１上全面にポリシリコン膜を形成する。例えばトランジスタのゲート電極の形成と同時に、低抵抗化したポリシリコンパターン４５を形成する。ポリシリコンパターン４５上を含むシリコン基板１上全面に高融点金属膜を形成し、ポリシリコンパターン４５のサリサイド化を行なって、ポリシリコンパターン４５上にＴｉＳｉやＷＳｉなどの高融点金属膜４７を形成し、配線パターン４９を形成する（図１２（ａ）参照）。
【００９２】
（２）図１（ａ）を参照して説明した上記工程（１）と同様にして、配線パターン４９上を含むシリコン基板１上全面に第１層間絶縁膜５を形成する（図１２（ｂ）参照）。
（３）公知の写真製版技術により、金属薄膜抵抗体の両端部及び配線パターン４９に対応して第１層間絶縁膜５に接続孔を形成するためのレジストパターン（図示は省略）を形成する。そのレジストパターンをマスクにして、第１層間絶縁膜５を選択的に除去して、第１層間絶縁膜５に接続孔２１を形成する。接続孔２１の底部に高融点金属膜４７が残存している。その後、レジストパターンを除去する（図１２（ｃ）参照）。
【００９３】
（４）図２（ｈ）及び（ｉ）を参照して説明した上記工程（８）及び（９）と同じ工程により、例えばマルチチャンバースパッタリング装置のＡｒスパッタエッチングチャンバーにて、真空中で、接続孔２１内を含む第２層間絶縁膜１９の表面に対してＡｒスパッタエッチング処理を行ない、続けて、Ａｒスパッタエッチング処理の完了後に真空を破らずに連続して金属薄膜抵抗体用の金属薄膜を形成し、金属薄膜をパターニングしてＣｒＳｉ薄膜抵抗体２３及びＣｒＳｉＮ膜４１を形成する（図１２（ｄ）参照）。
その後、図示は省略するが、ＣｒＳｉ薄膜抵抗体２３及びＣｒＳｉＮ膜４１の形成領域を含む第１層間絶縁膜５上に、層間絶縁膜、金属配線及びパッシベーション膜を形成する。
【００９４】
この実施例においても、図１及び図２を参照して説明した実施例と同様に、ＣｒＳｉ薄膜抵抗体２３をパターニングした後に金属薄膜抵抗体を形成した後に異方性エッチング処理を行なう必要がなく、金属薄膜抵抗体と配線パターンの電気的接続を確実に形成することができる。さらに、ＣｒＳｉ薄膜抵抗体２３の配線パターン４９との接触面が大気に暴露されることはないのでＣｒＳｉ薄膜抵抗体２３と配線パターン４９の良好な電気的接続を安定して得ることができ、ＣｒＳｉ薄膜抵抗体２３の膜厚に関わらず、工程数を増加させることなく、ＣｒＳｉ薄膜抵抗体２３の微細化及び抵抗値の安定化を実現することができる。
【００９５】
さらに、ＣｒＳｉ薄膜抵抗体２３とポリシリコンパターン４５の間にバリヤ膜として機能する高融点金属膜４７を介在させているので、ＣｒＳｉ薄膜抵抗体２３と配線パターン４９の接触抵抗のバラツキを低減することができ、抵抗値の精度及び歩留りの向上を図ることができる。
【００９６】
さらに、高融点金属膜４７はポリシリコンパターン４５の低抵抗化にも寄与しており、従来技術に比べて製造工程を増加させることなく高融点金属膜４７を形成することができるので、製造コストの増大を防止しつつ、金属薄膜抵抗体と配線パターンの接触抵抗を安定させることができる。
【００９７】
また、上記の製造方法の実施例では、ＣｒＳｉ薄膜抵抗体２３用の金属薄膜を形成する前にＡｒスパッタエッチング処理を行なっているので、前工程からの経過時間や製品毎に異なる下地膜の違い等によって発生する抵抗値のバラツキを低減することができる。
【００９８】
図１から図１２に示した上記の実施例及びサンプルでは、金属薄膜抵抗体の材料としてＣｒＳｉを用いた例を示しているが、本発明はこれに限定されるものではなく、金属薄膜抵抗体の材料としては、例えばＮｉＣｒ、ＴａＮ、ＣｒＳｉ2、ＣｒＳｉＮ、ＣｒＳｉ、ＣｒＳｉ０など、他の材料を用いてもよい。
【００９９】
本発明の製造方法により形成された金属薄膜抵抗体は、例えばアナログ回路を備えた半導体装置に適用することができる。
以上、本発明の実施例を説明したが、本発明はこれらに限定されるものではなく、寸法、形状、材料、配置などは一例であり、特許請求の範囲に記載された本発明の範囲内で種々の変更が可能である。
【産業上の利用可能性】
【０１００】
本発明は、絶縁膜上に形成された金属薄膜からなる金属薄膜抵抗体を備えた半導体装置を製造するのに利用することができる。
【図面の簡単な説明】
【０１０１】
【図１】製造方法の一実施例の前半を説明するための工程断面図である。
【図２】製造方法の同実施例の後半を説明するための工程断面図である。
【図３】本発明により形成した金属薄膜抵抗体のシート抵抗と膜厚との関係を示す図であり、縦軸はシート抵抗（Ω／□）、横軸はＣｒＳｉ膜厚（Å）を示す。
【図４】本発明により形成した金属薄膜抵抗体のシート抵抗のウェハ面内の６３箇所での測定結果の標準偏差（σ）を平均値（ＡＶＥ）で割った値（σ／ＡＶＥ）と膜厚との関係を示す図であり、縦軸はσ／ＡＶＥ（％）、横軸はＣｒＳｉ膜厚（Å）を示す。
【図５】金属薄膜抵抗体用の金属薄膜を形成する前にＡｒスパッタエッチング処理を行なった場合及び行なわなかった場合のＣｒＳｉ薄膜抵抗体のシート抵抗と金属薄膜抵抗体の下地膜を形成してから経過した時間との関係を示す図であり、（Ａ）は行なった場合、（Ｂ）は行なわなかった場合を示し、縦軸はシート抵抗（Ω／□）、横軸は下地膜形成後経過時間（時間）を示す。
【図６】Ａｒスパッタエッチングの量とシート抵抗の関係を示す図であり、縦軸はシート抵抗（Ω／□）、横軸はエッチング量（熱酸化膜エッチング量換算）（Å）を示す。
【図７】金属薄膜抵抗体用のＣｒＳｉ薄膜を形成した後に、温度２５℃、湿度４５％の大気中に放置した時間と、形成直後のシート抵抗からのシート抵抗の変化率（ΔＲ／Ｒ０）の関係を示す図であり、縦軸はΔＲ／Ｒ０（％）、横軸は放置時間（時間）を示す。
【図８】接続孔形成時に接続孔底部に高融点金属膜を残存させたサンプルと完全に除去したサンプルについて熱処理に起因する金属薄膜抵抗と金属配線の接触抵抗の変動を調べた結果を示す図であり、縦軸は熱処理前の接触抵抗値で規格化した値、横軸は熱処理回数を示す。
【図９】ＣｒＳｉＮ膜形成用のガスのＮ2分圧とＣｒＳｉＮ膜の抵抗率の関係を示す図であり、縦軸は抵抗率ρ（mohm・cm）、横軸はＮ2分圧（％）を示す。
【図１０】他の実施例を説明するための断面図である。
【図１１】さらに他の実施例を説明するための断面図である。
【図１２】さらに他の実施例を説明するための工程断面図である。
【符号の説明】
【０１０２】
１      シリコン基板
３      素子分離酸化膜
５      第１層間絶縁膜
７      金属材料パターン
９      高融点金属膜
１１      配線パターン
１３，１７    プラズマＣＶＤ酸化膜
１５      ＳＯＧ膜
１９      第２層間絶縁膜
２１      接続孔
２３      ＣｒＳｉ薄膜抵抗体
２５      シリコン酸化膜
２７      シリコン窒化膜
２９      パッシベーション膜
３１      配線用金属膜
３３      高融点金属膜
３５，３９    レジストパターン
３６      開口部
３７      ＣｒＳｉ薄膜
４１，４３    ＣｒＳｉＮ膜
４４      第２層間絶縁膜
４５      ポリシリコンパターン
４６      第２層間絶縁膜
４７      高融点金属膜
４９      配線パターン
【図１】
2006190806.tif 000003
【図２】
2006190806.tif 000004
【図３】
2006190806.tif 000005
【図４】
2006190806.tif 000006
【図５】
2006190806.tif 000007
【図６】
2006190806.tif 000008
【図７】
2006190806.tif 000009
【図８】
2006190806.tif 000010
【図９】
2006190806.tif 000011
【図１０】
2006190806.tif 000012
【図１１】
2006190806.tif 000013
【図１２】
2006190806.tif 000014